(57)【要約】【課題】シャッタを具備したカードレシーバにおいて、カード挿入口から覗いてシャッタ軸が見える構造であっても、カード挿入によるシャッタの変形或いは破損を防止することができるカードレシーバを提供する。【解決手段】本発明に係るカードレシーバは、カード挿入口を有する筐体と、カード挿入口に設けられるシャッタ本体と、シャッタ本体の一辺に固定され前記シャッタ本体を回動させるシャッタ軸とを備え、筐体には、シャッタ軸と所定の間隙をもって配設され、シャッタ軸のカード挿入方向へのたわみを所定の範囲に制限するたわみ制限部材が設けられたことを特徴とする。【選択図】  図１
2006309295.tif 000002
【特許請求の範囲】
【請求項１】
カード挿入口を有する筐体と、
前記カード挿入口に設けられるシャッタ本体と、
前記シャッタ本体の一辺に固定され前記シャッタ本体を回動させるシャッタ軸と、
を備え、
前記筐体には、前記シャッタ軸と所定の間隙をもって配設され、前記シャッタ軸のカード挿入方向へのたわみを所定の範囲に制限するたわみ制限部材が設けられたことを特徴とするカードレシーバ。
【請求項２】
前記シャッタ本体は、前記シャッタ軸の近傍にＬ字構造を備えたことを特徴とする請求項１に記載のカードレシーバ。
【請求項３】
前記シャッタ本体は、前記シャッタ軸の近傍にくの字構造を備えたことを特徴とする請求項１に記載のカードレシーバ。
【請求項４】
前記シャッタ本体は、前記シャッタ軸の近傍にＴ字構造を備えたことを特徴とする請求項１に記載のカードレシーバ。
【請求項５】
カード挿入口を有する筐体と、
前記カード挿入口に設けられるシャッタ本体と、
前記シャッタ本体の一辺に固定され前記シャッタ本体を回動させるシャッタ軸と、
を備え、
前記シャッタ本体は、前記シャッタ軸の近傍に曲げ剛性強化構造を具備することを特徴とするカードレシーバ。
【請求項６】
前記曲げ剛性強化構造は、Ｌ字構造であることを特徴とする請求項５に記載のカードレシーバ。
【請求項７】
前記曲げ剛性強化構造は、くの字構造であることを特徴とする請求項５に記載のカードレシーバ。
【請求項８】
前記曲げ剛性強化構造は、Ｔ字構造であることを特徴とする請求項５に記載のカードレシーバ。
【発明の詳細な説明】
【技術分野】
【０００１】
本発明はカードレシーバに係り、特に、情報処理装置等に用いられるＰＣカード等を着脱可能に収容するカードレシーバの機構に関する。
【背景技術】
【０００２】
近年、ノートブック型パーソナルコンピュータ等の電子機器においては、ＰＣカードと呼ばれる着脱可能なカードモジュールを収容するカードレシーバを備えたものが一般的になってきている。
【０００３】
ＰＣカードは、例えば、タイプＩ、タイプII、タイプIIIに分類され厚みはそれぞれ異なるものの、外形形状やコネクタ形状等は標準化されている。
【０００４】
カードレシーバは、これらのＰＣカードを収容するために電子機器に設けられるもので、ＰＣカードを収容する空間を形成する薄型の箱形状をなし、カードレシーバの奥にはＰＣカードを電気的に接続するコネクタを具備している。
【０００５】
カードレシーバのカード挿入口には、例えば、特許文献１に開示されているように、回動可能なシャッタが一般に設けられている。このシャッタによって、ＰＣカードが装着されていないときにカードレシーバの内部のコネクタ等に塵埃が付着することを防止している。
【特許文献１】特開平７-２８２２０４号公報
【発明の開示】
【発明が解決しようとする課題】
【０００６】
従来、カードレシーバ用のシャッタは、カードレシーバとは別に、電子機器側の構成品として電子機器の筐体に設けられる形態が多かった。
【０００７】
しかしながら、今日の電子機器、特にノートブック型パーソナルコンピュータでは小型軽量化と共に薄型化への傾向が一段と高まってきている。
【０００８】
このため、カードレシーバ自体の薄型化と共に、従来、電子機器の筐体に設けられていたシャッタをカードレシーバの構成の一部として取り込み、シャッタを含めたカードレシーバ全体として薄型化を実現する形態がとられるようになってきている。
【０００９】
また、シャッタをカードレシーバ側の構成とすることで、電子機器筐体側の組立て時間が削減され、電子機器全体としてはコストの低減となる。
【００１０】
シャッタの典型的な構造は、短冊形状のシャッタ本体（扉の部分）と、シャッタ本体の一方の長辺側に設けられる回動軸とを備え、シャッタ軸の両端は軸受けによって回動可能に支持される形態となっている。また、シャッタ軸の両端部には適宜の付勢バネが設けられ、ＰＣカードを抜いたときに自動的にシャッタ本体が閉じるように構成されている。
【００１１】
シャッタ本体とシャッタ軸は軽量化等の観点から合成樹脂を材料とすることが多いが、この場合シャッタ本体とシャッタ軸とを一体的に形成することも多い。
【００１２】
従来、電子機器の筐体の高さに比較的余裕があった場合には、シャッタを筐体に設け、筐体のカード挿入口から覗いたときにシャッタのシャッタ軸が見えない位置にシャッタ軸を配置することが可能であった。このため、ユーザがＰＣカードを挿入する際に、ＰＣカードとシャッタ軸とが干渉する問題は発生しなかった。
【００１３】
しかしながら、シャッタをカードレシーバ側に設け、さらにカードレシーバ自体の薄型化を追求していくと、カードレシーバのカード挿入口から覗いたときにシャッタのシャッタ軸が見える位置に配置せざるを得なくなってきた。このため、ＰＣカード挿入時におけるＰＣカードとシャッタ軸との干渉に対する対策が必要となってきている。ユーザが不用意にＰＣカードを挿入した場合、シャッタ軸との干渉によってシャッタ軸に応力が発生し、場合によってはシャッタ軸或いはシャッタ本体の一部が変形或いは破損する可能性があるからである。
【００１４】
電子機器筐体側のカード挿入口の一部を延出してシャッタ軸を保護することも考えられるが、電子機器筐体自体も限界に近い薄型化を実施しており、電子機器筐体側でのシャッタ軸保護が実質上困難な場合も考えられる。
【００１５】
本発明は上記事情に鑑みてなされたもので、シャッタを具備したカードレシーバにおいて、カード挿入口から覗いてシャッタ軸が見える構造であっても、カード挿入によるシャッタの変形或いは破損を防止することができるカードレシーバを提供することを目的とする。
【課題を解決するための手段】
【００１６】
本発明に係るカードレシーバは、上記課題を解決するため、請求項１に記載したように、カード挿入口を有する筐体と、前記カード挿入口に設けられるシャッタ本体と、前記シャッタ本体の一辺に固定され前記シャッタ本体を回動させるシャッタ軸とを備え、前記筐体には、前記シャッタ軸と所定の間隙をもって配設され、前記シャッタ軸のカード挿入方向へのたわみを所定の範囲に制限するたわみ制限部材が設けられたことを特徴とする。
【００１７】
また、本発明に係るカードレシーバは、上記課題を解決するため、請求項５に記載したように、カード挿入口を有する筐体と、前記カード挿入口に設けられるシャッタ本体と、前記シャッタ本体の一辺に固定され前記シャッタ本体を回動させるシャッタ軸とを備え、前記シャッタ本体は、前記シャッタ軸の近傍に曲げ剛性強化構造を具備することを特徴とする。
【発明の効果】
【００１８】
本発明に係るカードレシーバによれば、シャッタを具備したカードレシーバにおいて、カード挿入口から覗いてシャッタ軸が見える構造であっても、カード挿入によるシャッタの変形或いは破損を防止することができる。
【発明を実施するための最良の形態】
【００１９】
本発明に係るカードレシーバの実施形態について、添付図面を参照して説明する。
【００２０】
（１）第１の実施形態
図１は、第１の実施形態に係るカードレシーバ１の外観の一例を示す斜視図である。
【００２１】
カードレシーバ１は、薄型の箱形状の筐体２を備えて構成され、筐体２はＰＣカード１００（図示せず）を挿入するためのカード挿入口５０を有している。
【００２２】
筐体２は、左右の側板２ａ、２ｂ、天板２ｃ、底板２ｄ、および後板２ｅを備えて構成される。筐体２内部のカード挿入口５０と対向する面（後板２ｅ）にはコネクタ４０が設けられており、ＰＣカード１００挿入時にはコネクタ４０とＰＣカード１００のコネクタが嵌合する。
【００２３】
また、筐体２の内部の側板２ａ、２ｂには２つのガイドレール６０ａ、６０ｂが設けられており、ＰＣカード１００を挿入する際にＰＣカード１００のコネクタとカードレシーバ１のコネクタ４０との位置決めを容易にしている。
【００２４】
カード挿入口５０の入り口にはシャッタ５が設けられている。シャッタ５は、ＰＣカード１００が装着されていないときには閉じてカード挿入口５０を塞ぎ、筐体２の内部に塵埃等が侵入することを防止する。一方、ＰＣカード１００挿入時にはＰＣカード１００の先端部によってシャッタ５が押し上げられ、カード挿入口５０の内側にシャッタ５が開くことにより、ＰＣカード１００を筐体２の内部に挿入することが可能となる。
【００２５】
シャッタ５は、短冊状のシャッタ本体３と、シャッタ本体３の長辺の一方（図１においては、上側の長辺）の近傍に設けられたシャッタ軸４を備えて構成される。
【００２６】
シャッタ本体３は、シャッタ５の扉に相当する部分である。シャッタ軸４はシャッタ本体３を固定すると共に、シャッタ軸４を中心にしてシャッタ本体３を回動させることによりカード挿入口５０の開閉を行う。
【００２７】
シャッタ軸４の両端は、筐体２に設けられた支持部６ａ、６ｂによって回動自在に支持される。
【００２８】
支持部６ａ、６ｂには、適宜の付勢バネ（図示せず）が設けられており、ＰＣカード１００を引き抜いた後はこの付勢バネに付勢されてシャッタ本体３がカード挿入口５０を閉じる。付勢バネの適宜の反発力によってシャッタ本体３が押さえ付けることにより、カードレシーバ１が振動や傾斜をしてもシャッタ本体３が開かないようになっている。
【００２９】
シャッタ本体３及びシャッタ軸４の材料は特に限定するものではないが、軽量化等の観点から、例えば合成樹脂等で形成される。この場合、シャッタ本体３とシャッタ軸４とを一体的に形成する形態としても良い。
【００３０】
筐体２のカード挿入口５０には、たわみ制限部材２０を設けている。たわみ制限部材２０は、シャッタ軸４がＰＣカード１００によって押し付けられて撓んだとしても、シャッタ軸４のたわみを所定の範囲に制限し、シャッタ軸４或いはシャッタ本体３の変形或いは破損を防止するために設けたものである。
【００３１】
この目的のため、たわみ制限部材２０は、ＰＣカード１００の挿入方向においてシャッタ軸４の後方にシャッタ軸４と所定の間隙を介して配設される。
【００３２】
たわみ制限部材２０は、例えば、カード挿入口５０の上辺を形成する筐体２の天板２ｃ一部を延出し、その延出部を下方に折り曲げて形成する。図１に示したように、たわみ制限部材２０はカード挿入口５０の上辺の全範囲に設ける必要性はなく、上辺の一部、例えばシャッタ軸４のたわみが最も大きくなる中央部に設けられる。
【００３３】
なお、カードレシーバ１はＰＣカード１００を取り外すときに用いるイジェクタ機構を有するが、本発明には直接関係しないため、図１では省略している。
【００３４】
図２は、シャッタ５とたわみ制限部材２０との関係を示す、図１のII−II矢視断面図である。
【００３５】
図２（ａ）は、ＰＣカード１００が挿入されていないときの断面図であり、図２（ｂ）は、ＰＣカード１００が挿入されたときの断面図を示したものである。
【００３６】
たわみ制限部材２０は、例えば、筐体２の天板２ｃに連なった延出部を、カード挿入口５０の上端から下方に向かって折り曲げて形成される。また、たわみ制限部材２０は、その外側の面とシャッタ軸４の外周面との間に所定の間隙Ｄをもって配設される。
【００３７】
ＰＣカード１００を挿入時には、図２（ｂ）に示したように、シャッタ本体３はＰＣカード１００によって押し込まれ、筐体２の内側にシャッタ軸４を中心に回転して開く。
【００３８】
シャッタ本体３に設けられた逃げ穴３０は、シャッタ本体３が筐体２内に押し込まれたときにシャッタ本体３とたわみ制限部材２０との干渉を避けるために設けられた穴である。図２（ｂ）に例示した逃げ穴３０はシャッタ本体３に貫通孔を形成した形態としているが、たわみ制限部材２０とシャッタ本体３との干渉の程度によっては必ずしも貫通孔とする必要はない。例えば、シャッタ本体３の所定範囲の領域に凹部を形成する形態であっても良い。
【００３９】
図３は、たわみ制限部材２０の作用を模式的に説明する図である。ユーザがカードレシーバ１にＰＣカード１００を挿入する場合、通常はＰＣカード１００をカードレシーバ１の底面側に沿って挿入すると考えられる。しかしながら、ユーザの取り扱い方によっては、図３に示したように、カードレシーバ１の上側に偏らせてＰＣカード１００を挿入する場合も考えられる。
【００４０】
このような場合、たわみ制限部材２０が無いとすると、シャッタ軸４或いはシャッタ本体３はＰＣカード１００に押されて筐体２の内部に向かってたわみ、たわみが一定の限界を超えるとシャッタ軸４或いはシャッタ本体３は変形し、場合によっては破損する虞も生じてくる。
【００４１】
これに対して、たわみ制限部材２０を備えた本実施形態によれば、シャッタ軸４或いはシャッタ本体３がＰＣカード１００に押された場合であっても、たわみ制限部材２０によってたわみが所定範囲内、即ち間隙Ｄの範囲に制限されるため、変形や破損を防止することが可能となる。
【００４２】
たわみ制限部材２０はシャッタ本体３或いはシャッタ軸４のたわみを物理的に制限するものであり、この目的を達成する限り、形状や材質を特に限定するものではない。例えば、図１乃至図３に例示した舌片状の形状に代えて、筐体２の天板２ｃから下に延びる１つ或いは複数の突起状の部材であっても良い。
【００４３】
（２）その他の実施形態
図４は、第２の実施形態に係るカードレシーバ１ａの断面図を示したものであり、図４（ａ）は、ＰＣカード１００が挿入されていないときの断面図であり、図４（ｂ）は、ＰＣカード１００が挿入されたときの断面図を示したものである。
【００４４】
第２の実施形態に係るカードレシーバ１ａは、シャッタ５の形態以外は第１の実施形態と同じものである。
【００４５】
第２の実施形態に係るシャッタ５ａは、シャッタ軸４の近傍にＬ字構造７０を備えた形態となっている。Ｌ字構造７０はシャッタ本体３の長軸方向に一様に設けられるもので、このＬ字構造７０によってシャッタ軸４の曲げ剛性が増し、たわみを低減することが可能となる。
【００４６】
また、たわみ制限部材２０により、第１の実施形態と同様にシャッタ軸４のたわみを所定の範囲内に制限することが可能となる。
【００４７】
さらに、図４（ｂ）に示したように、第２の実施形態に係るシャッタ５ａでは、ＰＣカード１００を挿入した場合でも、シャッタ本体３とたわみ制限部材２０とが干渉することが無いため、シャッタ本体３に逃げ穴３０を設ける必要が無い。
【００４８】
図５は、第３の実施形態に係るカードレシーバ１ｂの断面図を示したものであり、図５（ａ）は、ＰＣカード１００が挿入されていないときの断面図であり、図５（ｂ）は、ＰＣカード１００が挿入されたときの断面図を示したものである。
【００４９】
第３の実施形態に係るカードレシーバ１ｂは、第２の実施形態におけるシャッタ本体３のＬ字構造７０をくの字構造７１に換えたものである。
【００５０】
第３の実施形態に係るシャッタ５ｂは、このくの字構造７１によってシャッタ軸４の曲げ剛性が増し、たわみを低減することができる。
【００５１】
また、たわみ制限部材２０により、第１の実施形態と同様にシャッタ軸４のたわみを所定の範囲内に制限することが可能となる。
【００５２】
さらに、図４（ｂ）に示したように、第２の実施形態と同様に、ＰＣカード１００を挿入した場合でも、シャッタ本体３とたわみ制限部材２０とが干渉することが無いため、シャッタ本体３に逃げ穴３０を設ける必要が無い。
【００５３】
また、第３の実施形態では、ＰＣカード１００をカード挿入口５０の上側に偏らせて挿入した場合であっても、シャッタ本体３に設けたくの字構造７１による傾斜角の存在により、シャッタ軸４に垂直に印加される力の一部が分力され、シャッタ軸４周りのモーメント力に変換されるため、ＰＣカード１００がスムーズに挿入されるという利点を有する。
【００５４】
図６は、第４の実施形態に係るカードレシーバ１ｃの断面図を示したものであり、図６（ａ）は、ＰＣカード１００が挿入されていないときの断面図であり、図６（ｂ）は、ＰＣカード１００が挿入されたときの断面図を示したものである。
【００５５】
第４の実施形態に係るカードレシーバ１ｃは、第１の実施形態におけるシャッタ軸４にＴ字構造７２を付加した形態である。
【００５６】
第４の実施形態に係るシャッタ５ｃは、このＴ字構造７２によってシャッタ軸４の曲げ剛性が増し、たわみを低減することができる。Ｔ字構造７２は、第２の実施形態に係るＬ字構造７０や第３の実施形態に係るくの字構造７１に比べると、さらに曲げ剛性が高い構造であり、シャッタ軸４の変形や破損を最も防止しやすい形態である。
【００５７】
なお、図６（ｂ）に示したように、ＰＣカード１００を挿入した際にシャッタ本体３とたわみ制限部材２０とが干渉する可能性がある場合は、第１の実施形態と同様に逃げ穴３０を設ける必要がある。
【００５８】
図７乃至図９は、第５乃至第７の実施形態に係るカードレシーバ１ｄ、１ｅ、及び１ｆの断面図を示したものである。
【００５９】
第５乃至第７の実施形態に係るカードレシーバ１ｄ、１ｅ、及び１ｆは、いずれも筐体２にたわみ制限部材２０を設けず、シャッタ軸４或いはシャッタ本体３の曲げ剛性を高める構造（曲げ剛性強化構造）によって、シャッタ軸４或いはシャッタ本体３の変形或いは破損を防止する形態である。
【００６０】
図７（ａ）及び（ｂ）に示す第５の実施形態に係るカードレシーバ１ｄは、シャッタ本体３にＬ字構造７０を設けることによりシャッタ軸４或いはシャッタ本体３の曲げ剛性を高めた形態である。
【００６１】
図８（ａ）及び（ｂ）に示す第６の実施形態に係るカードレシーバ１ｅは、シャッタ本体３にくの字構造７１を設けることによりシャッタ軸４或いはシャッタ本体３の曲げ剛性を高めた形態である。
【００６２】
また、図９（ａ）及び（ｂ）に示す第７の実施形態に係るカードレシーバ１ｆは、シャッタ本体３にＴ字構造７２を設けることによりシャッタ軸４或いはシャッタ本体３の曲げ剛性を高めた形態である。
【００６３】
シャッタ軸４或いはシャッタ本体３の許容応力はこれらを形成する材料等によって異なる。許容応力がある程度高い場合には、上記のＬ字構造７０、くの字構造７１、或いはＴ字構造７２によってシャッタ軸４或いはシャッタ本体３の変形や破損を防止することが可能であり、この場合にはたわみ制限部材２０が不要となるため、構造が簡素化されコストの低減に寄与する。
【００６４】
上述した各実施形態に係るカードレシーバ１乃至１ｆによれば、シャッタを具備したカードレシーバにおいて、カード挿入口から覗いてシャッタ軸が見える構造であっても、カード挿入によるシャッタの変形或いは破損を防止することができる。
【００６５】
なお、本発明は上記の各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００６６】
【図１】本発明の第１の実施形態に係るカードレシーバの外観の一例を示す斜視図。
【図２】本発明の第１の実施形態に係るカードレシーバの構造例を示す図であり、（ａ）は、ＰＣカードが装着されていない状態の断面図であり、（ｂ）はＰＣカードが装着された状態の断面図。
【図３】本発明の第１乃至第４の実施形態に係るたわみ制限部材の効果を説明する概念図。
【図４】本発明の第２の実施形態に係るカードレシーバの構造例を示す図であり、（ａ）は、ＰＣカードが装着されていない状態の断面図であり、（ｂ）はＰＣカードが装着された状態の断面図。
【図５】本発明の第３の実施形態に係るカードレシーバの構造例を示す図であり、（ａ）は、ＰＣカードが装着されていない状態の断面図であり、（ｂ）はＰＣカードが装着された状態の断面図。
【図６】本発明の第４の実施形態に係るカードレシーバの構造例を示す図であり、（ａ）は、ＰＣカードが装着されていない状態の断面図であり、（ｂ）はＰＣカードが装着された状態の断面図。
【図７】本発明の第５の実施形態に係るカードレシーバの構造例を示す図であり、（ａ）は、ＰＣカードが装着されていない状態の断面図であり、（ｂ）はＰＣカードが装着された状態の断面図。
【図８】本発明の第６の実施形態に係るカードレシーバの構造例を示す図であり、（ａ）は、ＰＣカードが装着されていない状態の断面図であり、（ｂ）はＰＣカードが装着された状態の断面図。
【図９】本発明の第７の実施形態に係るカードレシーバの構造例を示す図であり、（ａ）は、ＰＣカードが装着されていない状態の断面図であり、（ｂ）はＰＣカードが装着された状態の断面図。
【符号の説明】
【００６７】
１、１ａ、１ｂ、１ｃ、１ｄ、１ｅ、１ｆ  カードレシーバ
２  筐体
２ａ  右側板
２ｂ  左側板
２ｃ  天板
２ｄ  底板
２ｅ  後板
３  シャッタ本体
４  シャッタ軸
５  シャッタ
６ａ  支持部（右）
６ｂ  支持部（左）
２０  たわみ制限部材
３０  逃げ穴
４０  コネクタ
５０  カード挿入口
６０ａ、６０ｂ  ガイドレール
７０  Ｌ字構造
７１  くの字構造
７２  Ｔ字構造
【図１】
2006309295.tif 000003
【図２】
2006309295.tif 000004
【図３】
2006309295.tif 000005
【図４】
2006309295.tif 000006
【図５】
2006309295.tif 000007
【図６】
2006309295.tif 000008
【図７】
2006309295.tif 000009
【図８】
2006309295.tif 000010
【図９】
2006309295.tif 000011